(57)【特許請求の範囲】
【請求項１】
提供された原稿に基づいて記録用紙に所定の画像形成を行う画像形成手段と、当該画像形成手段に前記記録用紙を供給可能な記録用紙供給手段とを有し、前記提供される原稿のうち、指定された原稿に基づいて前記記録用紙に画像形成して章分けを行う画像形成装置において、
原稿の片面を順次記録用紙の両面に画像形成する場合であって、章分けの対象として指定された原稿に基づく画像形成が記録用紙の裏面になる場合には、当該指定された原稿に基づく画像形成を次の記録用紙の表面に行うことを特徴とする画像形成装置。
【請求項２】
前記次の記録用紙の表面に画像形成するとともに、当該次の記録用紙の裏面に前記指定された原稿の次の原稿に基づいた画像形成を行うことを特徴とする請求項１記載の画像形成装置。
【発明の詳細な説明】
【技術分野】
【０００１】
本発明は、章分けを行うことのできる画像形成装置に関するものである。
【背景技術】
【０００２】
例えば、画像形成装置の１つである複写機により項目別にされた書類の複写を行う場合、項目ごとの境に色の違う用紙など（これを合紙と称している）を挿入することが行われる。例えば、原稿自動送り装置（ＲＤＨ）を用いて原稿を順次自動送りしてゆく複写機においては、合紙を挿入すべき位置に色紙あるいは特殊なコード孔を有する用紙（スリップシートという）を挿入しておき、原稿自動送り装置がそのスリップシートを検知してその位置に合紙が挿入されるようにしている。
【０００３】
なお、この種の装置には例えば特開平２−１５２８６３があり、両面プリントの行える複写機にあって、合紙への両面プリントの禁止、及び偶数ページ前への合紙挿入を禁止する手段が設けられている。また、両面コピーにおける制御に関しては、特開昭６４−３４８５７、特開昭６４−３８３７４等がある。
【０００４】
また、複写機においては、画面印刷された原稿を自動送りする装置（両面原稿自動送り装置）や用紙の両面にプリントするために用紙の表裏を反転する装置（表裏反転装置）を備えた装置も市販されている。
【特許文献１】特開平２−１５２８６３号公報
【特許文献２】特開昭６４−３４８５７号公報
【特許文献３】特開昭６４−３８３７４号公報
【発明の開示】
【発明が解決しようとする課題】
【０００５】
ところで、画像形成済みの記録用紙に対して所定の区切りで区切る方法として前述の合紙が一般に用いられているが、区切りを示すには、色の付いた用紙を使用したり、前記画像を形成するための記録紙とは紙質の異なる用紙を使用する必要があった。そのため、色の付いた用紙や紙質の異なる用紙を収納する手段や収納された用紙を搬送する手段が別途必要となる。
【０００６】
本発明は、このような従来技術の実情に鑑みてなされたもので、その目的は、区切り用の用紙の収納手段及び搬送手段を別途設ける必要のない画像形成装置を提供することにある。
【課題を解決するための手段】
【０００７】
上記目的を達成するために、第１の手段は、提供された原稿に基づいて記録用紙に所定の画像形成を行う画像形成手段と、当該画像形成手段に前記記録用紙を供給可能な記録用紙供給手段とを有し、前記提供される原稿のうち、指定された原稿に基づいて前記記録用紙に画像形成して章分けを行う画像形成装置において、原稿の片面を順次記録用紙の両面に画像形成する場合であって、章分けの対象として指定された原稿に基づく画像形成が記録用紙の裏面になる場合には、当該指定された原稿に基づく画像形成を次の記録用紙の表面に行うことを特徴とする。
【０００８】
第２の手段は、第１の手段において、前記次の記録用紙の表面に画像形成するとともに、当該次の記録用紙の裏面に前記指定された原稿の次の原稿に基づいた画像形成を行うことを特徴とする。
【発明の効果】
【０００９】
本発明によれば、原稿に基づいて画像形成する記録用紙を章分け用の用紙として使用することが可能となる。さらに、その章分けの機能を有する記録用紙に原稿に基づいた画像を形成するので、別途、章分けを行うための用紙を収納する手段や、その手段から用紙を搬送する手段が不要となる。
【発明を実施するための最良の形態】
【００１０】
以下、本発明の実施形態について図面を参照しながら説明する。
【００１１】
図１は本発明による画像形成装置の一実施形態を示す正面から見た内部構成図である。また、図２は図１の装置に装着されたＲＤＨ（自動原稿送り装置）の詳細構成を示す断面図である。
【００１２】
図１に示すように、画像形成装置は、複写機本体１００、ＲＤＨ２００、フィニッシャー３００の３部分から構成されている。複写機本体１００は、上面に原稿が載置されるコンタクトガラス１０１が設けられ、このコンタクトガラス１０１上の原稿を照明するための光源としてのフラッシュランプ１０２が本体内部に設置され、さらに、フラッシュランプ１０２に電力を供給するために電源装置１０３が設けられている。
【００１３】
コンタクトガラス１０１の下方には、原稿からの反射光を所定方向へ反射させるための第１ミラー１０４が配設され、その反射光路上にはスルーレンズ１０５が配設されている。このスルーレンズ１０５の出射光路上には第２ミラー１０６が配設され、その反射光路上にはベルト感光体１０７が設置されている。ベルト感光体１０７は、エンドレスのベルトの表面に感光層を形成したもので、複数のローラを介して所定の軌道を回転（この例では反時計方向）する。
【００１４】
ベルト感光体１０７の上端近傍には感光層を予め帯電するための帯電器１０８が配設され、下端近傍にはイレーサ１０９が配設されている。また、ベルト感光体１０７の下部には現像器１１０が配設され、この現像器１１０の上部のベルト近傍には転写チャージャー１１１が配設されている。
【００１５】
さらに、ベルト感光体１０７に面した複写機本体１００内の側壁近傍には、夫々異なるサイズの用紙の収納された給紙トレイ１１２，１１３，１１４が縦列配置されている。転写チャージャー１１１に連結させて“Ｊ”字形の搬送路１１５が設けられ、その入口部にはレジストローラ１１６が設けられ、さらに垂直部の給紙トレイ１１２，１１３，１１４に対向する位置には給紙コロを含む給紙機構が設けられている。
【００１６】
また、転写チャージャー１１１の上方には転写の終了した用紙を搬送する搬送ベルト１１７が設けられ、この上方には定着器１１８が設けられている。さらに、給紙トレイ１１４の真上の本体上面には本体トレイ１１９が設けられ、搬送ベルト１１７の下部には分離チャージャー１２０が配設されている。定着器１１８と本体トレイ１１９及びフィニッシャー３００に連通させて搬送路１１８ａが配設され、その途中には両面切換爪１２１、排出切換爪１２２及び両面進入路１２３が設けられている。
【００１７】
さらに、給紙トレイ１１４と搬送路１１８ａとの間には、両面トレイ１２４が配設され、両面進入路１２３からの用紙が一時的に収納される。また、ベルト感光体１０７の上部には、除電用チャージャー１２５が配設され、これに隣接させてクリーニング装置１２６が配設されている。
【００１８】
次に、ＲＤＨ２００について、図２を参照して説明する。
【００１９】
原稿載置台２０１に隣接させてバキュームベルト２０２が配設され、このベルト面に原稿束の最下面の１枚が負圧により吸引される。バキュームベルト２０２に隣接させて原稿給紙ローラ２０３が配設され、バキュームベルト２０２の下部には中間搬送路２０４が形成されている。中間搬送路２０４の端部にはターンコントローラ２０５が配設され、中間搬送路２０４の下部には原稿搬送ベルト２０６が設けられている。
【００２０】
原稿搬送ベルト２０６の入側には排紙切換爪２０７が設けられ、この排紙切換爪２０７の近傍には原稿排紙ローラ２０８が設けられている。また、原稿排紙ローラ２０８の上部には、“Ｕ”字形の原稿排紙路２０９及びこれに連結される直線状の反転排出路２１２が配設され、その中間位置にはスイッチバックローラ２１０が配設されている。また、排紙切換爪２０７の上部には反転センサ２１１が配設されている。
【００２１】
反転排出路２１２と原稿排紙路２０９の出口部との間には正転排出路２１３が配設され、その上端部には原稿排紙ローラ２１４が設けられている。また、バキュームベルト２０２の上部には原稿仕切爪２１５及び仕切爪検知センサ２１６が設けられている。
【００２２】
ここで、図２のＲＤＨ２００の動作について説明する。
【００２３】
原稿載置台２０１上に原稿記載面を下にして載置された原稿束は、最下部の用紙１枚がバキュームベルト２０２に引きつけられ、このバキュームベルト２０２の移動により原稿給紙口に送られるが、給紙に先立ち、原稿仕切爪２１５は一旦原稿左上側に引き込まれ、再度出現することにより、原稿束上にセットされる。その状態で給紙された原稿は原稿給紙ローラ２０３によって中間搬送路２０４に送られ、一旦停止する。停止した原稿は、その後の再起動によりターンコントローラ２０５及び原稿搬送ベルト２０６によってコンタクトガラス１０１上にセットされる。
【００２４】
連続給紙を行う場合、同時に前記給紙動作を実行することにより、次の原稿を中間搬送路２０４にセットする。コンタクトガラス１０１上にセットされた原稿の排出は、原稿搬送ベルト２０６と原稿排紙ローラ２０８とにより原稿排紙路２０９へ送られるが、片面原稿と両面原稿とでは排出方法は異なる。まず、片面原稿の場合について説明する。
【００２５】
片面原稿の場合、コンタクトガラス１０１上の原稿は、原稿搬送ベルト２０６により原稿排紙路２０９に導かれ、一旦排出路に進入した原稿の後端が反転センサ２１１に検知されると、スイッチバックローラ２１０が逆転し、原稿は逆走する。このとき、排紙切換爪２０７が動作しているので、原稿は正転排出路２１３へ導かれ、原稿排紙ローラ２１４によって原稿載置台２０１の原稿束の上に同じ向きで排出される。
【００２６】
一方、両面原稿の場合、スイッチバックローラ２１０の逆転はなく、そのまま反転排出路２１２へ進行する。したがって、原稿載置台２０１に再度スタックされる場合、天地が逆になる。この状態で給紙されると、コンタクトガラス１０１上では裏面が露光されることになり、再度、反転排出路２１２を通ることで元の状態に戻される。また、最終原稿の検知は、最終原稿の上にセットされた原稿仕切爪２１５が最終原稿の給紙によって仕切爪検知センサ２１６内に落下することで行われる。
【００２７】
また、フィニッシャー３００は、搬送路１１８ａからの転写用紙を受け入れる用紙受入れ口３０１、転写用紙の進行方向を切り換える反転切換爪３０２、この反転切換爪３０２に連結される反転路３０３、反転切換爪３０２に面して配設されるスティプル切換爪３０４、このスティプル切換爪３０４に対し２方向に分岐するように配設される搬送路３０４ａ，３０４ｂ、これらの中間に位置して配設されるスティプルトレイ３０５、搬送路３０４ｂの出口部に設けられるフィニッシュトレイ３０６、搬送路３０４ａの下部に配設されるスティプラー３０７、及びスティプルトレイ３０５に対面させて配設されたリフトアップベルト３０８の各々を備えて構成されている。
【００２８】
図３は複写機本体１００の上面の前寄りに設けられている操作部を示す平面図である。操作部４００は、モードクリア／予熱キー４０１、割り込みコピー時に操作される割り込みキー４０２、エンターキー４０３、複写動作の開始時に押下されるプリントキー（スタートキー）４０４、テンキー４０５、クリア／ストップキー４０６（待機中はクリアキーとして機能し、複写動作中は複写動作を中断する為のストップキーとして機能する）、ガイダンスキー４０７、プログラム登録キー４０８、プログラム呼び出しキー４０９、及びＬＣＤ等による表示部４１０の各々を備えて構成される。
【００２９】
モードクリア／予熱キー４０１はモードクリアキーと予熱キーを兼ねており、このキーを押し続けることにより予熱キーの機能になる。モードクリアキーは各々のモードを標準モードに戻すためのものである。このキーの操作により、リピート枚数が１枚、濃度は自動濃度、給紙は自動給紙、変倍率は等倍に各々設定されるほか、その他の機能は全て解除される。予熱キーはオルターネートスイッチであり、装置を予熱状態にし或いは解除するときに操作する。予熱状態では、定着器１１８が低温制御されると共に予熱ランプが点灯し、他の表示を消灯することで消費電力を抑制している。したがって、コピー処理中は、予熱キーは無効になる。
【００３０】
テンキー４０５は複写枚数、ズーム変倍、綴じ代等の数値指定を行うために用いられ、この操作に際してはエンターキー４０３の操作を必要とする。ガイダンスキー４０７は基本操作の説明を表示器に表示する際に操作される。また、プログラム登録キー４０８は、使用者が頻繁に使用するモードを登録することができ、登録したモードはプログラム呼び出しキー４０９で呼び出すことができる。また、プリントキー４０４はレディ／ウェイト表示を兼ねており、レディ時には緑のＬＥＤが点灯し、ウェイト時には赤のＬＥＤが点灯する。
【００３１】
図４は図３に示した表示部４１０の表示内容の一例を示す画面図である。
【００３２】
メッセージディスプレィ部５０１は、機械に関する情報を表示する領域であり、例えば「コピーできます」、「用紙を補給して下さい」等のメッセージが表示される。このメッセージディスプレィ部５０１に隣接させてセット表示エリア５０２が設けられている。また、左寄りの上部にはトレイ選択キー及び用紙サイズ及び残量表示用の表示部５０３が設けられている（図の例では、左から順に「上段トレイ」、「中段トレイ」、「下段トレイ」、「大容量トレイ」が図示されている）。
【００３３】
この表示部５０３に隣接させて自動用紙選択キー５０４が設けられ、原稿と同じサイズの用紙が収納されたトレイが自動選択される。表示部５０３の下部には、手動により濃度を調節するための濃度調整キー５０５が設けられ、この右側には原稿の地肌に応じて自動的に濃度を調整するための自動濃度調整キー５０６が設けられている。
【００３４】
濃度調整キー５０５の左側には等倍キー５０７（等倍複写を行いたいときに押す）が設けられ、このキーに隣接させて拡大キー５０８及び縮小キー５０９が配設されている。また、等倍キー５０７の上部には、ズームキー５１０（この操作により、例えば６４〜１４２％の縮小／拡大ができる）及び用紙変倍キー５１１（指定した用紙のサイズに合わせて原稿の画像を自動的に縮小／拡大したきときに用いる）が設けられている。さらに、縮小キー５０９に隣接させて選択キー５１２が配設され、両面キーで片面原稿を両面に複写する場合や両面原稿を両面に複写する場合に用いる。
【００３５】
選択キー５１２の上部には両面モードメッセージエリア５１３が設けられ、両面モードの選択時にコピー作成状態が絵で示される。選択キー５１２に隣接させて綴じ代キー５１４が設けられ、例えば、綴じ代が必要なときに２１ｍｍ以下であれば左右どちら側にも設定できるようになっている。綴じ代キー５１４の上部には、綴じ代モードメッセージエリア５１５が設けられ、綴じ代モードが選択されたときに表示が行われる。さらに、綴じ代キー５１４及び綴じ代モードメッセージエリア５１５に隣接させて、シフト選択キー５１６、１箇所スティプル選択キー５１７、２箇所スティプル選択キー５１８が縦方向に設けられている。
【００３６】
なお、この実施形態の場合、図５に示すように、もう１つの操作画面５１９を持ち、モード設定を行うことができる。そして、後記する表紙・合紙モードの設定は、この画面を用いてのみ可能となっている。
【００３７】
図６は図３に示した操作部の制御系を示すブロック図である。
【００３８】
操作制御系は、ＣＰＵ６０１を主体に構成され、このＣＰＵ６０１には、バスを介して不揮発性のメモリであるＲＯＭ６０２、データ等を一時的に記憶するＲＡＭ６０３、割り込み処理時の制御を行う割込コントローラ６０４、主制御部との通信を行う際に用いられる送信ポート６０５、図３に示した表示部４１０を制御するＬＣＤコントローラ６０６、表示のためのデータを記憶する表示メモリ６０７、警告表示を行うＬＥＤ６１０を接続するための出力ポート６０８、ＤＭＡ（ダイレクト メモリ アクセス）処理を行って操作部４００を制御するためのＤＭＡコントローラ６０９の各々が接続されている。
【００３９】
操作者が操作部４００を介して実行しようとする仕事に対応した処理モードを設定する。複写の開始はプリントキー４０４を押下することにより行われ、後記するような一連のコピープロセスが実行される。
【００４０】
次に、図１を参照して複写動作を説明する。
【００４１】
原稿載置台２０１に載置された原稿は、バキュームベルト２０２によって１枚のみが給紙され、中間搬送路２０４を通って複写機本体１００のコンタクトガラス１０１上に搬送される。ここで、フラッシュランプ１０２が駆動されることにより、原稿全面が照明される。このとき、電源装置１０３はフラッシュに先立って電荷が与えられ、所定のタイミングで発光する。原稿からの反射光は、第１ミラー１０４、スルーレンズ１０５、第２ミラー１０６の各々を経由してベルト感光体１０７を露光する。
【００４２】
ベルト感光体１０７は、帯電器１０８により電荷が一様に与えられ、露光によって静電潜像が形成される。この動作に連動して指定のサイズの用紙が給紙トレイ１１２，１１３，１１４のいずれかから給紙され、レジストローラ１１６で待機している。ベルト感光体１０７上の静電潜像は、イレーサ１０９により不要部分の電荷が除去され、ベルト感光体１０７の回転が進行することで静電潜像は現像器１１０に対向する位置へ到達する。現像器１１０はトナーを用いて現像を行い、この可視像（トナー像）を転写チャージャー１１１側へ移動させる。
【００４３】
転写位置へトナー像が到達するのにタイミングを合わせ、レジストローラ１１６で待機していた用紙が転写位置へ給紙され、転写チャージャー１１１の静電吸引力によりベルト感光体１０７の表面から用紙面へトナー像が転写される。転写の終了した転写紙は、分離チャージャー１２０によってベルト感光体１０７の表面から剥離され、搬送ベルト１１７へ送り出され、この搬送ベルト１１７によって定着器１１８へ送り込まれ、トナー像は熱と圧力により紙面に固着（定着）する。定着の済んだ転写紙は、搬送路１１８ａへ送り出される。
【００４４】
ここで、両面モード（転写紙の両面に複写を行う場合）が指定された場合、両面切換爪１２１は両面トレイ１２４側に切り換わり、転写紙は両面進入路１２３から両面トレイ１２４へ送り込まれ、ここに一時的に収納される。一方、片面複写モードが指定された場合、両面切換爪１２１は排紙側に切り換わり、排出切換爪１２２まで搬送される。排出切換爪１２２は転写紙を本体トレイ１１９側への排出か周辺装置への排出かを切り換える働きをする。
【００４５】
転写の済んだベルト感光体１０７は、除電用チャージャー１２５によって除電され、さらに感光層上の残留トナーがクリーニング装置１２６により除去され、次の露光に備えられる。なお、ベルト感光体１０７は、無端の構成にされてはいるが、継ぎ目を有している。このため、ベルト感光体１０７上の画像形成領域は、継ぎ目の部分を避け、各サイズ毎に夫々等間隔になるように決められている。図７は継ぎ目で切って展開したベルト感光体の画像形成領域（セグメント）の配置を示す説明図である。
【００４６】
図７には、一点鎖線で示すＡ４セグメントが５個、点線で示すＢ４セグメントが４個、及び二点鎖線で示すＡ３セグメントが３個示され、各々は等間隔になるように決められている。なお、６０１は同期マークである。
【００４７】
図８はベルト感光体に像を形成し、給紙トレイ１１２，１１３，１１４から給紙された転写紙に像を形成するための制御系を示すブロック図である。
【００４８】
ＣＰＵ８０１にはバス８０２を介して入力ポート８０３及び出力ポート８０４が接続されている。また、ＣＰＵ８０１のＩＮＴ端子には分周器８０５が接続されている。また、出力ポート８０４には、感光体駆動モータ８０６を駆動するモータ制御回路８０７、及びパワーパック８０８が接続されている。モータ制御回路８０７は、帯電器１０８、転写チャージャー１１１、及びレジストローラ１１６の各々を駆動するために用いられる。
【００４９】
そして、入力ポート８０３には、分離センサ８０９、レジストセンサ８１０、マークセンサ８１１、両面給紙センサ８１２、上段給紙センサ８１３、中段給紙センサ８１４、下段給紙センサ８１５、定着センサ８１６、両面分岐センサ８１７、排紙センサ８１８、及び排出分岐センサ８１９の各々が接続されている。さらに、感光体駆動モータ８０６の駆動軸にはエンコーダ８２０が設けられ、ベルト感光体１０７の継ぎ目の位置を検出している。
【００５０】
画像形成時は、継ぎ目に露光が行われるのを防止するため、画像形成に先立ってベルト感光体１０７上の画像形成領域を決める必要がある。そこで、ベルト感光体１０７の端部には、継ぎ目から一定の距離のところに同期マーク（図７）が設けられ、これをマークセンサ８１１で検出している。また、画像領域を決定するためには、ベルト感光体１０７を駆動して回動させながらマーク検出を行う必要がある。そのためには、出力ポート８０４からの駆動信号をモータ制御回路８０７に入力させ、これにより感光体駆動モータ８０６が駆動されるようにしている。
【００５１】
感光体駆動モータ８０６には、エンコーダ８２０が一体に取り付けられており、ベルト感光体１０７の移動距離に比例した数のパルス信号が出力される。このパルス信号はモータ制御回路８０７に入力され、感光体駆動モータ８０６を等速回転させるために使用されると共に分周器８０５にも入力され、所定の分周比で分周された後、ＣＰＵ８０１に入力され、その数がカウントされる。この値はベルト感光体１０７の移動量に比例しているため、カウント値から画像形成領域が決定される。
【００５２】
次に、複写シーケンスについて説明する。
【００５３】
上記したセグメントの先端が所定の位置に到達すると、シーケンス制御用のカウンタ（ＣＰＵ８０１に設定されたソフトウェアカウンタ）が動作を開始する。このカウンタは分周器８０５からのパルス信号によってカウントアップ動作をし、シーケンスが完了することによりクリアされる。カウンタが動作を開始し、そのカウント値がＣＮＴ１の値になると、出力ポート８０４からパワーパック８０８に信号が出力され、帯電器１０８が動作し、ベルト感光体１０７を一様に帯電させる。
【００５４】
ついで、カウント値がＣＮＴ２になると、出力ポート８０４から電源装置１０３へ充電開始信号が印加され、フラッシュランプ１０２を点灯させるために電源装置１０３内のコンデンサに電荷が蓄えられ、フラッシュ信号を電源装置１０３に送出することによりフラッシュランプ１０２を点灯させ、コンタクトガラス１０１上にセットされた原稿を照明し、ベルト感光体１０７を露光する。このフラッシュ信号はカウント値がＣＮＴ３の時点で出力される。
【００５５】
さらに、ベルト感光体１０７が回転し、画像の先端がイレーサ１０９の位置（ＣＮＴ４）に達すると、イレーサ１０９の画像に対する部分が消灯し、画像の後端がイレーサ１０９の位置（ＣＮＴ５）に達すると、イレーサ１０９は全点灯し、ベルト感光体１０７上の余分な電荷が消され、原稿像の部分にのみ静電像が残される。この静電潜像は現像器１１０で現像され、表面コピーの場合は給紙トレイ１１２，１１３，１１４のいずれかから送られた用紙に対し、裏面コピーの場合は両面トレイ１２４から送られた用紙に転写される。
【００５６】
原稿像と同期をとるため、用紙はどのトレイから送られるかにより、異なったタイミングで搬送を開始する。原稿像が転写された用紙は、搬送ベルト１１７を通り、定着器１１８に送られ、この定着器１１８で定着される。両面切換爪１２１は、ＣＮＴ６で動作し、両面トレイ１２４にスタックされる場合は両面トレイ１２４側に排出され、そうでない場合には排出側に切り換えられる。
【００５７】
両面切換爪１２１は、ＣＮＴ７で動作し、用紙を本体トレイへ排出するか、周辺装置へ送るかを選択する機能を有している。用紙が排出されることにより、シーケンス動作は終了する。
【００５８】
ここで、カウント値とシーケンス処理の関係を示せば、以下のようになる。
【００５９】
カウント値            シーケンス処理
ＣＮＴ１              帯電オン
ＣＮＴ  ＦＥＥＤ      原稿給紙
ＣＮＴ  ＤＰＸ        両面給紙
ＣＮＴ２              充電開始
ＣＮＴ３              フラッシュ  オン
ＣＮＴ  ＥＸＩＴ      原稿排紙
ＣＮＴ４              イレース  オフ
ＣＮＴ  ＨＩＧＨ      上段給紙
ＣＮＴ  ＭＩＤ        中段給紙
ＣＮＴ５              イレース  オン
ＣＮＴ  ＬＯＷ        下段給紙
ＣＮＴ６              両面切り換え爪オン／オフ
ＣＮＴ７              排紙切り換え爪オン／オフ
複写処理は、このシーケンス処理を上記したセグメントの移動タイミングで次々に実行することにより可能である。
【００６０】
次に、図９を参照して循環式原稿送り装置（ＲＤＨ）を用いた場合のコピー方法について説明する。以下においては、片面→片面コピー、片面→両面コピー、両面→両面コピー、表紙・合紙モード、章分けモードに分けて説明する。また、合紙コピーオフ機能についても説明している。
【００６１】
〔片面→片面コピー〕
まず、片面原稿から片面コピーを行う場合、原稿載置台に置かれた原稿は、１枚ずつ原稿束の下側から給紙され、原稿供給路を通ってコンタクトガラス１０１上へ送られ、露光が行われる。露光が完了すると、コンタクトガラス１０１上の原稿は、搬送ベルト１１７により図の左側へ送られ、原稿載置台２０１に戻される。次の原稿は、露光中の原稿が完了しないうちに給紙され始めるため、原稿交換のための遅れを設けることなく、コピーが作成される。原稿載置台２０１の原稿が一巡すると１部のコピーが作成されるため、Ｎ部を作成するためには、この動作がＮ回繰り返される。
【００６２】
〔片面→両面コピー〕
次に、片面原稿から両面コピーをとる場合、まず、最初の原稿循環で表面になる原稿のコピーをとり、一旦、両面トレイ１２４へスタックする。表面になる原稿は、（１）（３）（５）・・・というように奇数枚目の原稿であるので、偶数枚目の原稿は循環するのみである。次の、循環で両面トレイ１２４内の表面コピー用紙に１回目の循環でコピーしなかった原稿のコピーをとることで、１部の両面コピーが作成される（図９の（ａ））。
【００６３】
複数部を作成する場合には、２巡目以降の原稿循環時、両面トレイ１２４からの用紙にコピーすると同時に表面コピーを作成し、両面トレイ１２４にスタックすることでＮ部を（Ｎ＋１）回の原稿循環で作成する。図９（ｂ）は、２部を作成する場合を示している。
【００６４】
〔両面→両面コピー〕
次に、両面原稿から両面コピーをとる場合について説明する。
【００６５】
まず、最初の原稿循環で表面となる原稿のコピーをとり、一旦、両面トレイ１２４へスタックする。この循環で原稿は反転して排出される。次の循環で両面トレイ１２４内の表面コピー用紙に原稿の裏面コピーをとることで１部の両面コピーを作成する。裏面コピーの原稿循環は再度反転され、最初の状態に戻される（図９の（ｃ）。すなわち、原稿載置台２０１の原稿が２回循環すると、１部のコピーが作成される。
【００６６】
〔表紙・合紙モード〕
表紙・合紙モードは、表紙、合紙に対応する用紙をそれ以外のコピー用紙とは別の用紙にコピーするモードである。すなわち、表紙用の用紙は、上段トレイ１１４の用紙を使い、合紙用用紙は中段トレイ１１３の用紙を使用し、それ以外は下段トレイ１１２の用紙を使うというように使い分ける。
【００６７】
表紙モードは、原稿束の１枚目を表紙用の用紙にコピーする表表紙モード、原稿束の最終原稿を表紙用の用紙にコピーする裏表紙モードとがあり、どちらも独立に設定可能である。
【００６８】
一方、合紙モードは、指定された原稿を合紙用の用紙にコピーするモードである。この表紙は、両面コピーモードであっても、コピーは片面である。表紙・合紙用の用紙トレイとして、どのトレイを使用するかはユーザーが選択できるようになっており、その選択に対しては選択した旨の表示が出るようになっている。トレイが選択されていない場合にこのモードが選択されると、表紙・合紙用トレイは自動的に上段トレイ１１４となり、用紙を変えることで簡単に使用することができるように制御されている。
【００６９】
トレイが表紙・合紙用トレイに設定されると、そのトレイは通常の用紙とは違う用紙がセットされたものと見なされ、自動用紙選択、リミットレスの対象トレイから外され、誤ってその用紙が給紙されないようにする制御が行われる。
【００７０】
〔章分けモード〕
次に、章分けモードについて説明する。このモードは、片面／両面モードにおいて指定した原稿を表面コピーとするモードである。通常コピーであれば、原稿１枚目、２枚目が用紙の表裏に夫々コピーされ、続いて３枚目、４枚目が次の用紙の表裏にコピーされるわけであるが、章の区切り等により、４枚目を表面にコピーした場合、このモードにより実現可能になる。
【００７１】
次に、表紙・合紙モードの設定について説明する。
【００７２】
図１０は表紙・合紙モードを選択するための操作部の表示内容を示す説明図である。この画面は「表紙／両面キー」を操作することにより現れる。表紙モードは、選択キーによりモードを選択するのみでよいが、合紙モードはどの原稿を合紙にするかを指定する必要があるため、合紙モードが選択されると、画面が切り換わり、図１１に示す原稿指定入力画面になる。合紙の指定は、テンキーにより何枚目の原稿を合紙にするかを入力し、エンターキー４０３により数値入力位置が次に進むので、同様の入力を行う。図１１は５枚目と１０枚目に合紙の設定を行った例である（図１２）。
【００７３】
本例での合紙指定可能数は１０箇所であるが、更なる追加も容易である。必要な入力が終了した後、終了キーでこの画面を閉じるとモード設定画面に戻り、コピーが可能になる。片面／両面モードでは、この原稿指定と同時に合紙か章分けかの選択が可能で、合紙であれば合紙キーを押し、章にしたい場合には章キーを押し、その後にエンターキー４０３を押すことで指定原稿に対し、どちらのモードを設定するかが可能になる。
【００７４】
次に、片面／両面モードにおける表紙・合紙の実現方法について説明する。
【００７５】
図１３は１２枚原稿で表表紙を付加し、６枚目の原稿を合紙とし、２部コピーする場合の例である。原稿の１巡目で表面となる（２）（４）（７）（９）（１１）の原稿を用紙トレイの用紙にコピーし、一旦、両面トレイにスタックする。次の循環では、表表紙となる（１）の原稿を表紙トレイの用紙にコピーし、（３）（５）（８）（１０）（１２）の原稿を両面トレイ１２４へスタックされている用紙にコピーする。途中の合紙は合紙トレイの用紙にコピーし、排出する。コピーされた用紙は、排紙と両面スタックが様々に繰り返されるが、用紙毎に両面切換爪１２１が切り換えられるように制御されている。また、排紙の用紙も表面コピーと裏面コピーが混在するため、このまま排出すると表裏が混在してしまうため、表面コピーは排出前に反転して排出することで用紙の向きを揃えている。  次に、両面→両面コピーでのコピー処理中における表紙・合紙を反転する場合について説明する。原稿１巡目で表紙・合紙以外の原稿を選択されたトレイ内の用紙にコピーし、両面トレイ１２４へスタックする。したがって、この時のコピーは原稿の表面コピーである。この１回目の循環で表紙・合紙原稿は用紙へのコピーは行われず、原稿循環のみになり、反転して排出される。この結果、１回目の循環で原稿束は、表裏の混在したものとなる。この反転／非反転が連続して生じる場合、反転パスよりも非反転パスの方が長いため、１サイクル分の間隔を設けることで実現している。
【００７６】
２巡目では、表紙原稿のコピーが表紙用の用紙に行われ、合紙原稿は合紙用用紙に行われ、それ以外の原稿は両面トレイ１２４にスタックされた用紙にコピーする。したがって、この循環では表紙・合紙は表面コピーとなり、他の原稿は裏面コピーとなる。この２巡目で１部のコピーが作成されるため、複数部のコピーを作成するためには、この動作を繰り返し実行すればよい。ただし、第１回目の循環では、原稿は表裏の向きが混在したものになっているため、２回目以降の循環での原稿の反転／非反転混在動作をする必要はない。この反転／非反転混在原稿は、コピー処理の最終循環で再度、表紙・合紙は正転で排出され、それ以外の原稿は反転で排出されることで元の載置状態に戻される。上記方法によるコピー処理においては、用紙が排出される場合、表紙・合紙の表面コピーと、それ以外の裏面コピーとが連続して排出される。このため、コピー用紙を正しく排出するためには、表面コピーを反転し、裏面コピーは反転させずに排出する必要がある。
【００７７】
反転排出のフィニッシャーの場合、逆に、表紙・合紙を反転させずに排出し、それ以外の用紙を反転して排出する必要がある。したがって、この場合には表紙・合紙のコピーが連続しないようにすればよい。
【００７８】
表紙・合紙のコピーを裏面コピー時に作成するためには、前記のように１回目の循環で表紙・合紙となる原稿は他の原稿に対し天地を逆にする必要があるが、これを画像形成と同時に行うことは、生産性を向上させるためには有効であるが、制御は複雑になる。これを避けるためには、画像形成動作と表紙・合紙原稿の反転動作を別に行えばよい。そのためには、画像形成動作に先立ってＲＤＨのみを動作させ、表紙・合紙原稿を反転させる処理を行う。
【００７９】
本実施形態の複写機においては、上記２つの方法を組み合わせ、１回目のコピー処理循環で原稿を反転／非反転混在状態とし、それが元に戻されるのはコピー処理完了後である。コピー処理完了後、反転／非反転状態を元に戻す場合、表紙・合紙が原稿載置台２０１に対し上向きで、その他の原稿は下向きであるから、表紙・合紙原稿は反転排出され、その他の原稿は正転排出される。
【００８０】
章分けモードは、片面原稿から両面コピーを行う場合、指定した原稿を表面とする機能である。この場合のコピー方法は、次のようになる。
【００８１】
章分け指定された原稿は必ず表面であるから、前の章分け指定された原稿からこの章分け指定された原稿の前までの原稿枚数が奇数か偶数かによってコピー方法が異なる。偶数の場合、この指定原稿が表面コピーであるから、指定の有無によらず通常コピーと同様のコピー方法でよい。しかし、奇数の場合、本来は裏面となるところを表面とする必要がある。したがって、前の用紙の裏面をブランクとして、この指定原稿を表面コピーとする方法である。
【００８２】
また、表紙・合紙・章分けモードの組み合わせによるコピーは以下の如くである。
【００８３】
１回目の原稿循環では、表紙、合紙の原稿はコピーせず、かつ表紙・合紙の次の原稿を表面とし、１枚置きにコピーする。また、章に指定された原稿のコピーは実行し、かつ、その原稿を表面として用紙トレイの用紙にコピーする。すなわち、（２）（４）（６）（７）（９）の原稿のコピーをし、両面トレイ１２４へスタックする。２巡目以降では、表紙は表紙用トレイの用紙にコピーされ、合紙は合紙トレイの用紙にコピーして排出する。１巡目で表面コピーされた原稿は、同様に表面コピーされ、両面トレイ１２４にスタックされる。残された原稿は、両面トレイ１２４内にスタックされている用紙に裏面コピーされる。ただし、ここで表紙・合紙、章指定された原稿が裏面コピーになる場合、原稿を送らずにブランク用紙として両面トレイ１２４の用紙を排出する。最終循環では、前記２巡目の動作で表面コピーが実行されず、原稿送りのみで、表紙・合紙コピーと、裏面コピーを実行することで、必要枚数を完成させることができる。
【００８４】
なお、フィニッシャーにおいては、裏面コピーは反転することなく排出することでページ順に排出できるが、このモードでは途中に表コピーが実施されるため、そのコピー用紙には反転が必要であるが、表面コピーとなる表紙・合紙の次のコピーは必ず表面コピーである。したがって、原稿１枚分だけ排出間隔が空くことになり、それを利用して反転するため、用紙排出のタイミングを遅らせる必要はない。
【００８５】
〔合紙コピーオフ機能〕
この合紙コピーオフ機能は、合紙と指定された原稿のコピーを止める機能であり、合紙としてカラー紙等を区切りとしてのみ挿入したい場合に使用する。これは、合紙時にイレースを操作し、ベルト感光体１０７上の静電潜像を除電することにより実現する。
【図面の簡単な説明】
【００８６】
【図１】本発明による画像形成装置の一実施形態を示す内部構成図である。
【図２】図１の装置に装着されたＲＤＨ（自動原稿送り装置）の詳細構成を示す断面図である。
【図３】複写機本体の上面の前寄りに設けられている操作部を示す平面図である。
【図４】図３に示した表示部の表示内容の一例を示す図である。
【図５】操作画面の他の例を示す説明図である。
【図６】図３に示した操作部の制御系を示すブロック図である。
【図７】継ぎ目で切って展開したベルト感光体の画像形成領域（セグメント）の配置を示す説明図である。
【図８】ベルト感光体に像を形成し、給紙トレイから給紙された転写紙に像を形成するための制御系を示すブロック図である。
【図９】循環式原稿送り装置（ＲＤＨ）を用いた場合のコピー方法の説明図である。
【図１０】表紙・合紙モードを選択するための操作部の表示内容を示す説明図である。
【図１１】本発明により合紙を行った表示内容の一例を示す操作部の平面図である。
【図１２】５枚目と１０枚目に合紙の設定を行った例を示す説明図である。
【図１３】１２枚原稿で表表紙を付加し、６枚目の原稿を合紙とし、２部コピーする例を示す説明図である。
【符号の説明】
【００８７】
１００  複写機本体
１０１  コンタクトガラス
１０２  フラッシュランプ
１０３  電源装置
１０４  第１ミラー
１０５  スルーレンズ
１０６  第２ミラー
１０７  ベルト感光体
１０８  帯電器
１０９  イレーサ
１１０  現像器
１１１  転写チャージャー
１１２，１１３，１１４  給紙トレイ
１１５  搬送路
１１６  レジストローラ
１１８  定着器
１１８ａ  搬送路
１１９  本体トレイ
１２０  分離チャージャー
１２１  両面切換爪
１２２  排出切換爪
１２３  両面進入路
１２４  両面トレイ
２００  ＲＤＨ
２０１  原稿載置台
２０２  バキュームベルト
２０３  原稿給紙ローラ
２０６  原稿搬送ベルト
２０７  排紙切換爪
２０８  原稿排紙ローラ
２０９  原稿排紙路
２１０  スイッチバックローラ
２１２  反転排出路
２１３  正転排出路
２１４  原稿排紙ローラ
２１５  原稿仕切爪
３００  フィニッシャー
４００  操作部
４０３  エンターキー
４０４  プリントキー
４１０  表示部
８０１  ＣＰＵ
８０３  入力ポート
８０４  出力ポート
８０６  感光体駆動モータ
８０７  モータ制御回路
【図１】
0003645564.tif 000002
【図２】
0003645564.tif 000003
【図３】
0003645564.tif 000004
【図４】
0003645564.tif 000005
【図５】
0003645564.tif 000006
【図６】
0003645564.tif 000007
【図７】
0003645564.tif 000008
【図８】
0003645564.tif 000009
【図９】
0003645564.tif 000010
【図１０】
0003645564.tif 000011
【図１１】
0003645564.tif 000012
【図１２】
0003645564.tif 000013
【図１３】
0003645564.tif 000014